(57)【要約】【課題】メールに基づく付加情報を各ユーザに均等に提供すること。【解決手段】携帯電話機１は、電子メールの本文に記述され得るキーワードと送信者に提示するコメントとを関連付けて記憶するデータベース１３と、電話機１内で生成された電子メールが宛先に向けて送信されたことを契機として、その電子メールの本文からキーワードを抽出するキーワード抽出部１４と、抽出されたキーワードに対応するメッセージをデータベース１３から読み出す条件式グループ選択部１５およびコメント決定部１６と、読み出されたメッセージを出力する出力部１７と、を備える。【選択図】図１
2011081438.tif 000002
【特許請求の範囲】
【請求項１】
電子メールの本文に記述され得るキーワードと送信者に提示するメッセージとを関連付けて記憶するデータベースと、
端末内で生成された電子メールが宛先に向けて送信されたことを契機として、該電子メールの本文から前記キーワードを抽出する抽出手段と、
前記抽出手段により抽出されたキーワードに対応する前記メッセージを前記データベースから読み出すメッセージ取得手段と、
前記メッセージ取得手段により読み出されたメッセージを出力する出力手段と、
を備える情報端末。
【請求項２】
前記抽出手段によるキーワードの抽出回数を記憶する抽出回数記憶手段を更に備え、
前記メッセージ取得手段が、前記抽出されたキーワードの抽出回数を前記抽出回数記憶手段から読み出し、該抽出回数が所定の閾値以上である場合に、該キーワードに対応する前記メッセージを前記データベースから読み出す、
請求項１に記載の情報端末。
【請求項３】
前記出力手段によるメッセージの出力回数を記憶する出力回数記憶手段を更に備え、
前記データベースが、前記キーワード、前記出力回数、および前記メッセージを関連付けて記憶し、
前記メッセージ取得手段が、前記出力回数記憶手段から前記出力回数を読み出し、前記抽出されたキーワードと該出力回数とに対応する前記メッセージを前記データベースから読み出す、
請求項１又は２に記載の情報端末。
【請求項４】
前記情報端末は携帯端末であり、
前記出力手段は、待受け画面が表示されている場合に前記メッセージを表示する、
請求項１〜３のいずれか一項に記載の情報端末。
【請求項５】
電子メールの本文に記述され得るキーワードと送信者である情報端末のユーザに提示するメッセージとを関連付けて記憶するデータベースと、
前記情報端末内で生成された電子メールが宛先に向けて送信されたことを契機として、該電子メールの本文から前記キーワードを抽出する抽出手段と、
前記抽出手段により抽出されたキーワードに対応する前記メッセージを前記データベースから読み出すメッセージ取得手段と、
前記メッセージ取得手段により読み出されたメッセージを前記情報端末において出力する出力手段と、
を備えるメッセージ通知システム。
【請求項６】
情報端末を備えるメッセージ通知システムにより実行されるメッセージ通知方法であって、
前記情報端末内で生成された電子メールが宛先に向けて送信されたことを契機として、該電子メールの本文からキーワードを抽出する抽出ステップと、
電子メールの本文に記述され得るキーワードと送信者である前記情報端末のユーザに提示するメッセージとを関連付けて記憶するデータベースから、前記抽出ステップにおいて抽出されたキーワードに対応する前記メッセージを読み出すメッセージ取得ステップと、
前記メッセージ取得ステップにおいて読み出されたメッセージを前記情報端末において出力する出力ステップと、
を含むことを特徴とするメッセージ通知方法。
【発明の詳細な説明】
【技術分野】
【０００１】
本発明は、電子メールに関するメッセージを出力する情報端末、メッセージ通知システム、およびメッセージ通知方法に関する。
【背景技術】
【０００２】
従来から、受信した電子メール（以下では単に「メール」ともいう）の内容に基づいてユーザに付加情報を提示する技術が知られている。例えば下記特許文献１には、受信メールの本文から抽出した文字列を構文解析することで特定の文字列を選出し、選出された文字列に対応するテンプレート画像を表示する携帯端末が記載されている。
【先行技術文献】
【特許文献】
【０００３】
【特許文献１】特開２００６−１６６１５７号公報
【発明の概要】
【発明が解決しようとする課題】
【０００４】
上記のような技術によりメール受信者は付加情報を受け取ることができるが、メール送信者にはそのような情報は提供されない。あるユーザについてメールの送信と受信とが均等に行われる保証はないので、付加情報を各ユーザに均等に提供することはできない。例えば、メールを受信するよりも送信する方が多いユーザにとっては、受け取る付加情報の数はメール操作の回数に見合わないものとなる。
【０００５】
本発明は上記課題を解決するためになされたものであり、電子メールに基づく付加情報を各ユーザに均等に提供することが可能な情報端末、メッセージ通知システム、およびメッセージ通知方法を提供することを目的とする。
【課題を解決するための手段】
【０００６】
本発明の情報端末は、電子メールの本文に記述され得るキーワードと送信者に提示するメッセージとを関連付けて記憶するデータベースと、端末内で生成された電子メールが宛先に向けて送信されたことを契機として、該電子メールの本文からキーワードを抽出する抽出手段と、抽出手段により抽出されたキーワードに対応するメッセージをデータベースから読み出すメッセージ取得手段と、メッセージ取得手段により読み出されたメッセージを出力する出力手段と、を備える。
【０００７】
本発明のメッセージ通知システムは、電子メールの本文に記述され得るキーワードと送信者である情報端末のユーザに提示するメッセージとを関連付けて記憶するデータベースと、情報端末内で生成された電子メールが宛先に向けて送信されたことを契機として、該電子メールの本文からキーワードを抽出する抽出手段と、抽出手段により抽出されたキーワードに対応するメッセージをデータベースから読み出すメッセージ取得手段と、メッセージ取得手段により読み出されたメッセージを情報端末において出力する出力手段と、を備える。
【０００８】
本発明のメッセージ通知方法は、情報端末を備えるメッセージ通知システムにより実行されるメッセージ通知方法であって、情報端末内で生成された電子メールが宛先に向けて送信されたことを契機として、該電子メールの本文からキーワードを抽出する抽出ステップと、電子メールの本文に記述され得るキーワードと送信者である情報端末のユーザに提示するメッセージとを関連付けて記憶するデータベースから、抽出ステップにおいて抽出されたキーワードに対応するメッセージを読み出すメッセージ取得ステップと、メッセージ取得ステップにおいて読み出されたメッセージを情報端末において出力する出力ステップと、を含むことを特徴とする。
【０００９】
このような発明によれば、電子メールの送信を契機にそのメールの本文からキーワードが抽出され、そのキーワードに対応するメッセージがデータベースから読み出されて出力される。これにより、メール送信者、すなわちメールを能動的に生成したユーザにメッセージが付加情報として提示されるので、メールに基づく付加情報を各ユーザにより均等に提供できる。
【００１０】
本発明の情報端末では、抽出手段によるキーワードの抽出回数を記憶する抽出回数記憶手段を更に備え、メッセージ取得手段が、抽出されたキーワードの抽出回数を抽出回数記憶手段から読み出し、該抽出回数が所定の閾値以上である場合に、該キーワードに対応するメッセージをデータベースから読み出すことが好ましい。
【００１１】
この場合、過去に一定回数以上抽出されたキーワードに対応するメッセージに限って出力されるので、送信者が入力する傾向が強い言葉に絞ってメッセージを提示できる。
【００１２】
本発明の情報端末では、出力手段によるメッセージの出力回数を記憶する出力回数記憶手段を更に備え、データベースが、キーワード、出力回数、およびメッセージを関連付けて記憶し、メッセージ取得手段が、出力回数記憶手段から出力回数を読み出し、抽出されたキーワードと該出力回数とに対応するメッセージをデータベースから読み出すことが好ましい。
【００１３】
この場合、これから出力しようとするメッセージがキーワードだけでなく過去の出力回数に基づいて決定されるので、以前に送ったメールに書いたキーワードを再度使ってメールを作成し送った場合に、メッセージに変化をつけることができる。
【００１４】
本発明の情報端末では、情報端末は携帯端末であり、出力手段は、待受け画面が表示されている場合にメッセージを表示することが好ましい。
【００１５】
この場合、携帯端末が待受け画面の状態にあるときにメッセージが表示されるので、ユーザが端末の画面に注目し得る時にユーザの端末操作を遮ることなくメッセージをユーザに提示できる。
【発明の効果】
【００１６】
このような情報端末、メッセージ通知システム、およびメッセージ通知方法によれば、送信メールの本文に基づくメッセージが送信者に向けて出力されるので、メールに基づく付加情報を各ユーザに均等に提供することができる。
【図面の簡単な説明】
【００１７】
【図１】実施形態に係る携帯電話機の機能構成を示すブロック図である。
【図２】図１に示す携帯電話機のハードウェア構成を示す図である。
【図３】図１に示すワードグループテーブルの構成を示す図である。
【図４】図１に示すコメント履歴テーブルの構成を示す図である。
【図５】図１に示す条件式グループテーブルの構成を示す図である。
【図６】図１に示す条件式グループ選択テーブルの構成を示す図である。
【図７】図１に示すコメントテーブルの構成を示す図である。
【図８】図１に示す携帯電話機の動作を示すフローチャートである。
【発明を実施するための形態】
【００１８】
以下、添付図面を参照しながら本発明の実施形態を詳細に説明する。本実施形態では、本発明に係る情報端末を携帯電話機に適用する。なお、図面の説明において同一又は同等の要素には同一の符号を付し、重複する説明を省略する。
【００１９】
まず、図１〜７を用いて、実施形態に係る携帯電話機１の機能および構成を説明する。図１は携帯電話機１の機能構成を示すブロック図である。図２は携帯電話機１のハードウェア構成を示す図である。図３はワードグループテーブル１３１の構成を示す図である。図４はコメント履歴テーブル１３２の構成を示す図である。図５は条件式グループテーブル１３３の構成を示す図である。図６は条件式グループ選択テーブル１３４の構成を示す図である。図７はコメントテーブル１３５の構成を示す図である。
【００２０】
携帯電話機１は通話機能やメール機能、ウェブブラウザ機能などを備える携帯端末であり、機能的構成要素として送信部１１、メール記憶部１２、データベース１３、キーワード抽出部（抽出手段、メッセージ取得手段）１４、条件式グループ選択部（メッセージ取得手段）１５、コメント決定部（メッセージ取得手段）１６、および出力部（出力手段）１７を備えている。
【００２１】
この携帯電話機１は、図２に示すように、オペレーティングシステムやアプリケーション・プログラムなどを実行するＣＰＵ１０１と、ＲＯＭ及びＲＡＭで構成される主記憶部１０２と、メモリなどで構成される補助記憶部１０３と、データ通信を行う通信制御部１０４と、液晶モニタなどで構成される表示部１０５と、入力キーなどで構成される操作部１０６とで構成される。図１に示す各機能は、ＣＰＵ１０１及び主記憶部１０２の上に所定のプログラムを読み込ませ、ＣＰＵ１０１の制御の下で通信制御部１０４、表示部１０５及び操作部１０６を動作させるとともに、主記憶部１０２や補助記憶部１０３に対してデータの読み出し又は書き込みを行うことで実現される。データベースや処理に必要なデータは主記憶部１０２または補助記憶部１０３内に格納されている。
【００２２】
図１に戻って、送信部１１は、ユーザが入力したメール送信指示に基づいて、携帯電話機１内で生成された電子メールを宛先に向けて送信する手段である。
【００２３】
メール記憶部１２は、送信部１１により送信された電子メール（送信メール）を記憶する手段である。
【００２４】
データベース１３は、送信メールに基づくコメントを表示部１０５に表示させるために必要なデータを記憶する手段であり、ワードグループテーブル１３１、コメント履歴テーブル（出力回数記憶手段）１３２、条件式グループテーブル（抽出回数記憶手段）１３３、条件式グループ選択テーブル１３４、およびコメントテーブル１３５を備えている。
【００２５】
ワードグループテーブル１３１は、電子メールの本文に記述され得るキーワードをグループ化して記憶する手段である。以下では、１以上のキーワードから成る集合を「ワードグループ」という。ワードグループは通番により識別できる。図３の例では、「疲れた」「つかれた」「しんどい」という３個のキーワードが「ＷＧ＃１」で識別されるグループに属している。また、「ＷＧ＃１１」で識別されるグループには「お兄ちゃん」というキーワードのみが属している。
【００２６】
コメント履歴テーブル１３２は、メール送信を契機として表示部１０５に表示されたコメント（メッセージ）の回数を記憶する手段である。具体的には図４に示すように、コメント履歴テーブル１３２はコメントを管理する番号であるコメントＩＤ毎に発行回数（表示回数）を集計し記憶する。後述するように、一つのコメントＩＤに複数のコメントが対応する場合もあるので、発行回数はコメント毎ではなくコメントのグループ毎に管理された値であるといえる。発行回数は後述する増分処理により増えていく。
【００２７】
条件式グループテーブル１３３は、複数の条件式グループを記憶する手段である。条件式グループはグループＩＤで識別され、図５に示すようにテーブル形式で表すことができる。各条件式グループのテーブルには、コメントＩＤと、各ワードグループの実際の出現数（ＷＧカウント数）と、該コメントＩＤに対応するコメントを表示するための各ＷＧカウント数の条件（ＷＧ条件）とが関連付けられたレコードが複数格納されている。図５からは、コメントＩＤ＝１０に対応するコメントを表示するためには、少なくともワードグループ「ＷＧ＃１」に属するキーワードおよび「ＷＧ＃２」に属するキーワードがそれぞれ３回以上抽出される必要があることを示している。ＷＧカウント数は、対応するキーワードを含むメールが送信される度に、後述する増分処理により増えていく。
【００２８】
条件式グループ選択テーブル１３４は、上述した条件式グループを選択する条件を記憶する手段である。このテーブル１３４に記憶されるデータは、コメント履歴テーブル１３２内の発行回数の合計値の範囲とその範囲に対応する条件式グループのＩＤとの組である。図６に従えば、例えば発行回数の合計値が４４であればグループＩＤ＝３の条件式グループが使用されることになる。
【００２９】
条件式グループテーブル１３３とその選択テーブル１３４により条件式グループを決定するのは、メール送信後にコメントが表示される回数が増えていくに従って、コメントの内容や文体、語句の言い回しなどを変えるためである。これにより、ユーザがメール送信を重ねていくと例えばコメントの表現を徐々に親しみのあるものにしていくなどの処理を実現することができる。
【００３０】
コメントテーブル１３５は、メール送信時に表示されるコメントを記憶する手段である。図７に示すように、コメントテーブル１３５はコメントＩＤと、そのＩＤに対応する１以上のコメント（メッセージ）と、そのＩＤに属するコメントの概要（カテゴリ）とが関連付けられたコメントデータを記憶する。コメントの内容は限定されず、例えばテキストだけでなく絵文字が含まれていてもよい。
【００３１】
図７の例では、コメントＩＤ＝１で示されるコメントデータには、送信者（携帯電話機１のユーザ）を慰めるためのコメントが複数含まれている。また、コメントＩＤ＝３で示されるコメントデータには、送信者を心配するようなコメントが一つのみ含まれている。コメントＩＤ＝２に対応するコメントにある「＜名前＞」は変数を示しており、コメント生成時に文字列が動的に決まるものである。例えば、「＜名前＞」には送信者である携帯電話機１のユーザ名が代入される。
【００３２】
このように、電子メールの本文に記述され得るキーワードと送信者に提示するコメント（メッセージ）とは、データベース１３内の上記テーブル群により関連付けられて記憶されている。
【００３３】
キーワード抽出部１４は、携帯電話機１内で生成された電子メールが送信部１１により宛先に送信されたことを契機として、そのメールの本文からキーワードを抽出する手段である。キーワード抽出部１４は、送信部１１によるメール送信のイベントを能動的に取得したり、メール送信を実行したことを示す信号を送信部１１から受動的に取得したりすることで、メールが送信されたことを検知する。続いて、キーワード抽出部１４は送信された電子メールをメール記憶部１２から読み出すと共にワードグループテーブル１３１を参照することで、その電子メールの本文内に含まれるキーワードを抽出する。
【００３４】
続いて、キーワード抽出部１４はワードグループテーブル１３１に基づいて、メール本文に現れた各キーワードが属するワードグループを特定する。例えばワードグループテーブル１３１が図３に示すものであり、メール本文に「疲れた」「しんどい」「むかつく」というキーワードが現れた場合には、キーワード抽出部１４は二つのワードグループ「ＷＧ＃１」「ＷＧ＃２」を特定する。続いて、キーワード抽出部１４は特定したワードグループのＷＧカウント数（条件式グループテーブル１３３内のＷＧカウント数）を１だけ増分する。ここで、この増分処理は各グループＩＤのテーブルの各レコードについて実行される。なお、一つのキーワードがメール本文に複数回現れたり、同じワードグループに属する複数のキーワードがメール本文にそれぞれ１回以上現れたりした場合でも、対応するＷＧカウント数は１しか増分されない。
【００３５】
キーワード抽出部１４は、上記の処理を実行すると次の処理を依頼するための信号を条件式グループ選択部１５に出力する。
【００３６】
条件式グループ選択部１５は、コメントを表示するかしないかを判定するために使用する条件式グループを選択する手段である。キーワード抽出部１４から信号が入力されると、条件式グループ選択部１５はコメント履歴テーブル１３２内の発行回数の合計値を算出する。続いて、条件式グループ選択部１５は条件式グループ選択テーブル１３４を参照して、算出した合計値に対応するグループＩＤを取得する。続いて、条件式グループ選択部１５はそのグループＩＤをコメント決定部１６に出力する。図６に従えば、算出した合計値が４４であれば条件式グループ選択部１５はグループＩＤ＝３を読み出して出力する。
【００３７】
コメント決定部１６は、選択されたグループＩＤに基づいて、メール送信時に表示されるコメントを決定する手段である。条件式グループ選択部１５からグループＩＤが入力されると、コメント決定部１６はそのグループＩＤのテーブルを条件式グループテーブル１３３から読み出す。
【００３８】
続いて、コメント決定部１６は読み出したテーブルの各レコードについて、各ＷＧカウント数が対応するＷＧ条件の値以上か否かを判定する。すべてのＷＧカウント数について（ＷＧカウント数）＞＝（対応するＷＧ条件の値）が成立するレコードが存在すれば、コメント決定部１６はそのレコードに記述されているコメントＩＤを取得する。これに対して、すべてのＷＧ条件が満たされるレコードが存在しなければ、コメント決定部１６は処理を終了する。図５におけるグループＩＤ＝１のテーブルに関していうと、通番１のレコードはワードグループ「ＷＧ＃２」についてはＷＧ条件を満たすものの、ワードグループ「ＷＧ＃１」についてはＷＧ条件を満たさないので、コメント決定部１６はこのレコードについてはＷＧ条件を満たしていないと判断する。
【００３９】
コメントＩＤを取得できた場合には、コメント決定部１６はそのＩＤに対応するコメントをコメントテーブル１３５から読み出す。このときコメントＩＤに対して複数のコメントが関連付けられているようであれば、コメント決定部１６は所定の方法（例えばランダム選択）により一つのコメントを選択する。コメント決定部１６は選択したコメントのデータを出力部１７に出力する。また、コメント決定部１６はそのコメントＩＤに対応するコメント履歴テーブル１３２の発行回数を１だけ増分する。図４に従えば、コメントＩＤ＝４を取得している場合には、コメント決定部１６はその発行回数を２０から２１に更新する。
【００４０】
上記の通り、キーワードに対応するメッセージはキーワード抽出部１４、条件式グループ選択部１５およびコメント決定部１６の処理で得られるので、これらの機能的構成要素はメッセージ取得手段であるといえる。
【００４１】
出力部１７は、コメント決定部１６から入力されたコメントを表示部１０５に表示する手段である。出力部１７は、表示部１０５が待受け画面の状態になっているか否かを判定し、待受け画面であれば直ぐにコメントを付加情報として表示する。これにより、送信者である携帯電話機１のユーザは、自身が作成したメールの内容に基づくメッセージを見ることができる。一方、表示部１０５が携帯電話機１の筐体で隠れていたり何らかのアプリケーション・プログラムが起動しているなどの理由により待受け画面が表示されていない場合には、出力部１７はコメントを保持し、待受け画面が表示されたタイミングでそのコメントを表示する。待受け画面か否かの判定は、端末の筐体の状態やアプリケーション・プログラムの起動状態を検知することで可能である。
【００４２】
次に、図８を用いて、図１に示す携帯電話機１の動作を説明するとともに本実施形態に係るメッセージ通知方法について説明する。図８は携帯電話機１の動作を示すフローチャートである。
【００４３】
携帯電話機１のユーザが作成したメールを送信部１１が送信すると（ステップＳ１１）、キーワード抽出部１４がそのことを契機として送信メールをメール記憶部１２から読み出し、ワードグループテーブル１３１を参照することでメール本文からキーワードを抽出する（ステップＳ１２、抽出ステップ）。続いて、キーワード抽出部１４は抽出したキーワードに対応するＷＧカウント数を１だけ増分する（ステップＳ１３）。
【００４４】
続いて、条件式グループ選択部１５がコメント履歴テーブル１３２および条件式グループ選択テーブル１３４を参照することで、発行回数の合計値に合致する条件式グループを選択する（ステップＳ１４）。続いて、コメント決定部１６が選択された条件式グループのテーブルを参照することで、ＷＧ条件を満たすコメントＩＤが存在するか否かを判定する（ステップＳ１５）。具体的には、コメント決定部１６はすべてのＷＧカウント数について（ＷＧカウント数）＞＝（対応するＷＧ条件の値）が成立するレコードのコメントＩＤを探す。
【００４５】
このとき、そのようなコメントＩＤが見つからなければそこで処理が終了するが（ステップＳ１５；ＮＯ）、コメントＩＤが見つかった場合には以下の処理が実行される（ステップＳ１５；ＹＥＳ）。
【００４６】
すなわち、コメント決定部１６は抽出したコメントＩＤに対応するコメントをコメントテーブル１３５から一つ読み出すと共に（ステップＳ１６）、そのＩＤに対応する発行回数を１だけ増分する（ステップＳ１７）。ステップＳ１３〜Ｓ１７までの処理は、コメントを取得するためのメッセージ取得ステップであるといえる。
【００４７】
最後に、出力部１７が、待受け画面が表示されている場合には（ステップＳ１８；ＹＥＳ）コメントを表示部１０５に表示し（ステップＳ１９、出力ステップ）、そうでなければ（ステップＳ１８；ＮＯ）メッセージを保持しつつ表示が待受け画面に切り替わるのを待つ。
【００４８】
以上説明したように、本実施形態によれば、電子メールの送信を契機にそのメールの本文からキーワードが抽出され、そのキーワードに対応するコメントがデータベース１３から読み出されて出力される。これにより、メール送信者、すなわちメールを能動的に生成したユーザにコメントが付加情報として提示されるので、メールに基づく付加情報を各ユーザにより均等に提供できる。
【００４９】
また本実施形態によれば、送信者の心情や置かれた状況などに合った適切なコメントをその者に提示できる。受信メールの本文は送信側の主観で書かれているので、その文章が受信者に対するものか否か、それとも第三者に対する意見を受信者に送っているのかといったことなどを判定することが困難である。これに対して、送信メールの本文は当然ながら送信者が書くものなので、例えば主語が省略されていてもその類推が容易であり、文脈をより的確に捉えることができる。その結果、送信者に対して適切なコメントを提示できる。
【００５０】
また本実施形態によれば、過去に一定回数以上抽出されたキーワードに対応するコメントに限って出力されるので、送信者が入力する傾向が強い言葉に絞ってコメントを提示できる。
【００５１】
また本実施形態によれば、これから出力しようとするコメントがキーワードだけでなく過去の出力回数（発行回数の合計値）に基づいて決定されるので、以前に送ったメールに書いたキーワードを再度使ってメールを作成し送った場合に、コメントに変化をつけることができる。
【００５２】
また本実施形態によれば、携帯電話機１が待受け画面の状態にあるときにコメントが表示されるので、ユーザが電話機１の画面に注目し得る時にユーザの端末操作を遮ることなくメッセージをユーザに提示できる。
【００５３】
また本実施形態によれば、ワードグループ単位でキーワードの抽出回数をカウントし、その回数に基づいてコメントの表示の要否やその内容を決定するので、同様の処理をキーワード毎に行う場合と比較して、データベースの容量を抑えつつ多くのキーワードに対応することができる。
【００５４】
以上、本発明をその実施形態に基づいて詳細に説明した。しかし、本発明は上記実施形態に限定されるものではない。本発明は、その要旨を逸脱しない範囲で様々な変形が可能である。
【００５５】
上記実施形態ではテキストで構成されたコメントを表示したが、メッセージの形式や出力方法はこれに限定されない。例えば、テキストと画像（静止画や動画）で構成されたメッセージを表示してもよいし、光の色や発光パターンを用いて表現されたメッセージを出力してもよい。また、音声や効果音を用いたメッセージを出力してもよいし、バイブレータによる振動を用いたメッセージを出力してもよい。データベース（例えばコメントテーブル１３５）に格納されるメッセージデータの形式は、メッセージの構成や出力方法に基づいて決まる。
【００５６】
データベース内のテーブル構成やレコード構成も上記実施形態のものに限定されない。例えば、ワードグループの概念を導入せず、キーワードとコメントとを直接的に関連付けてもよい。また、条件式グループテーブル１３３において、所定の時期までにＷＧカウント数がＷＧ条件を満たさなければならないことを示す条件成立期間を各レコードに組み込んでもよい。例えば、「レコード内に最初にＷＧカウント数が記録されてから時間Ｔが経過するまでの間」を示すデータを条件成立期間として予め設定しておいてもよい。
【００５７】
データベース内の構成と関連するが、発行回数やＷＧカウント数の概念を導入せずに、抽出されたキーワードに対応するコメントを無条件に出力してもよい。
【００５８】
上記実施形態では、携帯電話機１が待受け画面の状態にあるときにメッセージが表示されたが、メッセージを出力するタイミングはこれに限定されない。例えば、出力手段は現在の画面が待受け画面であるか否かに関係なくメッセージを出力してもよい。
【００５９】
上記実施形態では、コメントの表示に必要な機能的構成要素を携帯電話機１の中にすべて搭載したが、ネットワークで接続された複数の情報処理装置を備えるメッセージ通知システムにより、すなわち分散処理により本発明を実現してもよい。例えば、携帯電話機が抽出手段、メッセージ取得手段および出力手段を備える一方でサーバがデータベースを備え、メッセージ取得手段がネットワークを介してデータベース内のデータを取得することで上記実施形態と同様の処理を実行してもよい。
【００６０】
本発明は、携帯型か据置型かを問わず、携帯電話機以外の様々な情報端末に適用可能である。例えば、携帯情報端末（ＰＤＡ）、パーソナルコンピュータ（ＰＣ）、ゲーム機、オーディオ・ヴィジュアル（ＡＶ）機器などに本発明を適用することが考えられる。
【符号の説明】
【００６１】
１…携帯電話機（情報端末）、１１…送信部、１２…メール記憶部、１３…データベース、１４…キーワード抽出部（抽出手段、メッセージ取得手段）、１５…条件式グループ選択部（メッセージ取得手段）、１６…コメント決定部（メッセージ取得手段）、１７…出力部（出力手段）、１３１…ワードグループテーブル、１３２…コメント履歴テーブル（出力回数記憶手段）、１３３…条件式グループテーブル（抽出回数記憶手段）、１３４…条件式グループ選択テーブル、１３５…コメントテーブル。
【図１】
2011081438.tif 000003
【図２】
2011081438.tif 000004
【図３】
2011081438.tif 000005
【図４】
2011081438.tif 000006
【図５】
2011081438.tif 000007
【図６】
2011081438.tif 000008
【図７】
2011081438.tif 000009
【図８】
2011081438.tif 000010